(57)【要約】【課題】ワイヤハーネスを筐体に装着する配線保持構造において、筐体等の引出口から引出されたワイヤハーネスへの外力による筐体内のコネクタやハンダ部へのダメージを防止し、ワイヤハーネスを筐体等の所定位置に容易に装着できる配線保持部材及び配線保持構造を実現することを課題とする。【解決手段】筐体に設けられた孔からワイヤハーネスを引き出す配線構造における、ワイヤハーネスに装着し、当該ワイヤハーネスと筐体との固定を行う配線保持部材において、ワイヤハーネスを挟み込む押圧部材と、押圧部材を連結する支持部材とからなり、押圧部材における筐体の孔と接する部位がテーパ状に形成されていることを特徴とする。【選択図】　図２
2004032858.tif 000002
【特許請求の範囲】
【請求項１】
筐体に設けられた孔からワイヤハーネスを引き出す配線構造における、ワイヤハーネスに装着し、当該ワイヤハーネスと筐体との固定を行う配線保持部材において、
少なくとも２つの部材に分割された形状に形成され、前記ワイヤハーネスを挟み込む押圧部材と、
該押圧部材を連結する支持部材とからなり、
該押圧部材における前記筐体の孔と接する部位が、テーパ状に形成されていることを特徴とする配線保持部材。
【請求項２】
前記押圧部材は、前記筐体に設けられた孔と接する部位にテーパ面が設けられた円錐体形状に形成されてなることを特徴とする請求項１記載の配線保持部材。
【請求項３】
前記押圧部材は、前記ワイヤハーネスを挟み込む内面が凹凸形状に形成され、又は内面に頒布材が設けられてなることを特徴とする請求項１又は２記載の配線保持部材。
【請求項４】
前記押圧部材には、該押圧部材の前記筐体の孔に対向する前面部に防水性を有するパッキン材が装着され、前記筐体の孔に当接押圧されてなることを特徴とする請求項１乃至３記載の配線保持部材。
【請求項５】
支持部材と押圧部材でなる前記配線保持部材は、弾性を有する樹脂材で一体成形されてなることを特徴とする請求項１乃至４記載の配線保持部材。
【請求項６】
筐体に設けられた孔から引き出されるワイヤハーネスを固定する配線保持構造において、
少なくとも２つの部材に分割された形状に形成され、ワイヤハーネスを挟み込む押圧部材と、当該押圧部材を連結する支持部材とからなる配線保持部材を備え、
筐体における孔とワイヤハーネスに取付けた該配線保持部材とを、当接押圧させることによってワイヤハーネスの固定を行うものであり、
該配線保持部材における筐体の孔と接する部位が、テーパ状に形成されていることを特徴とする配線保持構造。
【請求項７】
筐体に設けられた孔から引き出されるワイヤハーネスを固定する配線保持構造において、
少なくとも２つの部材に分割された形状に形成され、ワイヤハーネスを挟み込む押圧部材と、当該押圧部材を連結する支持部材とからなる配線保持部材を備え、
筐体における孔とワイヤハーネスに取付けた該配線保持部材とを、当接押圧させることによってワイヤハーネスの固定を行うものであり、
筐体の孔における該配線保持部材と接する部位が、テーパ状に形成されていることを特徴とする配線保持構造。
【発明の詳細な説明】
【０００１】
【発明の属する技術分野】
本発明は、筐体にワイヤハーネスを装着するための配線保持部材、及びワイヤハーネスを筐体に装着する配線保持構造に関する。
【０００２】
【従来の技術】
従来の配線保持構造では、電気回路ユニット等が装着収納された筐体から、電気回路ユニット等の配線（以降ワイヤハーネスと称す）をコネクタ等を介せず、クランプを用いることなく直接筐体外に引き出し接続するものがある。
【０００３】
【発明が解決しようとする課題】
上述のように、電気回路ユニット等のワイヤハーネスを直接筐体外に接続するものは、通常においては特に問題はないが、ワイヤハーネスに外力（引張力、振動、捻り力等）が加わった場合に、筐体内のワイヤハーネスに接続されたコネクタやハンダ部にダメージを与える危険性がでてくる。
本発明は、電気回路ユニット等のワイヤハーネスの筐体外への接続にコネクタ等を用いることなく、ワイヤハーネスに外力が加わった場合にワイヤハーネスを筐体にクランプし、筐体内のコネクタやハンダ部へのダメージを防止することができる配線保持部材及び配線保持構造を実現することを課題とする。
【０００４】
【課題を解決するための手段】
上記目的を達成するために、本発明は、筐体に設けられた孔からワイヤハーネスを引き出す配線構造における、ワイヤハーネスに装着し、当該ワイヤハーネスと筐体との固定を行う配線保持部材において、少なくとも２つの部材に分割された形状に形成され、前記ワイヤハーネスを挟み込む押圧部材と、該押圧部材を連結する支持部材とからなり、該押圧部材における前記筐体の孔と接する部位が、テーパ状に形成されていることを特徴とするものである。
【０００５】
また、前記押圧部材は、前記筐体に設けられた孔と接する部位にテーパ面が設けられた円錐体形状に形成されてなることを特徴とするものである。
【０００６】
また、前記押圧部材は、前記ワイヤハーネスを挟み込む内面が凹凸形状に形成され、又は内面に頒布材が設けられてなることを特徴とするものである。
【０００７】
また、前記押圧部材には、該押圧部材の前記筐体の孔に対向する前面部に防水性を有するパッキン材が装着され、前記筐体の孔に当接押圧されてなることを特徴とするものである。
【０００８】
また、支持部材と押圧部材でなる前記配線保持部材は、弾性を有する樹脂材で一体成形されてなることを特徴とするものである。
【０００９】
また、筐体に設けられた孔から引き出されるワイヤハーネスを固定する配線保持構造において、少なくとも２つの部材に分割された形状に形成され、ワイヤハーネスを挟み込む押圧部材と、当該押圧部材を連結する支持部材とからなる配線保持部材を備え、筐体における孔とワイヤハーネスに取付けた該配線保持部材とを、当接押圧させることによってワイヤハーネスの固定を行うものであり、該配線保持部材における筐体の孔と接する部位が、テーパ状に形成されていることを特徴とするものである。
【００１０】
また、筐体に設けられた孔から引き出されるワイヤハーネスを固定する配線保持構造において、少なくとも２つの部材に分割された形状に形成され、ワイヤハーネスを挟み込む押圧部材と、当該押圧部材を連結する支持部材とからなる配線保持部材を備え、筐体における孔とワイヤハーネスに取付けた該配線保持部材とを、当接押圧させることによってワイヤハーネスの固定を行うものであり、筐体の孔における該配線保持部材と接する部位が、テーパ状に形成されていることを特徴とするものである。
【００１１】
【発明の実施の形態】
本発明の実施の形態について、図面を参照して説明する。
図１は本発明の実施の形態に係る配線保持部材及び配線保持構造を示す全体構成外観図で、図２は本発明の第１の実施の形態に係る配線保持構造を示す詳細断面で、（ａ）は正面図、（ｂ）は断面図である。
【００１２】
尚、図１は、第１の実施の形態から第３の実施の形態までの全体構成外観図を示したもので、第１の実施の形態に係る配線保持構造１０のユニットを筐体１に装着した状態を代表にして示している。従って、第１の実施の形態に係るものから第３の実施の形態に係るものまでの構成外観は図１を参照して説明し、同一構成品については第１の実施の形態に係るもので説明し、他の実施の形態に係るものでは説明を省略する。
【００１３】
本発明の第１の実施の形態に係る配線保持構造１０について、図１及び図２を参照して説明する。
【００１４】
本発明の第１の実施の形態に係る配線保持構造１０は、一例として図１、２に示すように、筐体１内に装着収納された各種電気回路ユニット３ａ、３ｂからの接続線１６ａ、１６ｂに外装チューブ１７を被せてワイヤハーネス１５を形成し、このワイヤハーネス１５に配線保持部材１１を装着した状態で、ワイヤハーネス１５を筐体外に引き出すようにして筐体１の側面１ａに設置された筐体リブ２の貫通孔２ａに配線保持部材１１を挿入押圧し、ワイヤハーネス１５を筐体リブ２に押圧保持するようにしたものである。
【００１５】
この配線保持構造１０のユニットは、筐体１に設置された筐体リブ２と、配線保持部材１１（以降クランプ１１と称す）と、外装チューブ１７を有するワイヤハーネス１５等により構成されている。そして、このクランプ１１は下部の押圧部材（以降、押圧ホルダと称す）１２と上部の押圧部材（以降、押圧ホルダと称す）１３が弾性を有する支持部材１４で連結されたものである。
【００１６】
筐体リブ２は、筐体外にワイヤハーネス１５を引き出すための貫通孔２ａが設けられた箱型形状に樹脂材、又は金属材等で成形されており、筐体１の側面１ａに設置され、クランプ１１を介してワイヤハーネス１５を押圧保持するものである。この筐体リブ２の貫通孔２ａの外径Ｄ１２は、ワイヤハーネス１５に装着されているクランプ１１に設けられた支持部材１４に連結された押圧ホルダ１２、１３のテーパ面１２ａ、１３ａが当接押圧されるように、押圧ホルダ１２、１３の先端外径Ｄ１１より大きく、押圧ホルダ１２、１３の後端外径Ｄ１３より小さい寸法に設定されている。又、この筐体リブ２の貫通孔２ａは、押圧ホルダ１２、１３のテーパ面１２ａ、１３ａの先端部が貫通孔２ａにガイド挿入されると共に、貫通孔２ａの内側の孔縁部２ｂが、テーパ面１２ａ、１３ａに当接押圧されるようになっている。
【００１７】
尚、この貫通孔２ａの孔縁部２ｂは押圧ホルダ１２、１３のテーパ面１２ａ、１３ａに滑り易く当接押圧されるように、面取り形状に形成しても良い。
尚、本実施の形態のものでは、ワイヤハーネス１５を筐体リブ２に押圧保持するようにしているが、これにこだわることなく、筐体リブ２を用いず直接筐体の側壁にワイヤハーネス１５をクランプ１１を介して押圧保持するようにしても良い。
【００１８】
クランプ１１は、下部の押圧ホルダ１２と上部の押圧ホルダ１３が弾性を有する支持部材１４で連結されたもので、ワイヤハーネス１５を各押圧ホルダ１２、１３で挟み込んだ状態で、ワイヤハーネス１５に装着されている。そして、ワイヤハーネス１５が筐体１の側面１ａに設置された筐体リブ２に設けられた貫通孔２ａから筐体外に引き出される時に、ワイヤハーネス１５に装着されているクランプ１１に設けられた押圧ホルダ１２、１３のテーパ面１２ａ、１３ａが貫通孔２ａの孔縁部２ｂに当接押圧されて、ワイヤハーネス１５が筐体リブ２に押圧保持される。
【００１９】
下部押圧ホルダ１２は、上部押圧ホルダ１３と組み合わされて、円錐体形状に樹脂材等で成形され、中央部分から上下に分割形成されたものである。又、この下部押圧ホルダ１２は、上部押圧ホルダ１３と組み合わされて、ワイヤハーネス１５を挟み込んで押圧する内面１２ｂ、１３ｂが凹凸形状に形成され、外面の支持部材１４が連結される側が平面に形成され、外面の筐体リブ２の貫通孔２ａに対向する側には、貫通孔２ａの孔縁部２ｂに当接押圧されるためのテーパ面１２ａ、１３ａが設けられている。
【００２０】
この押圧ホルダ１２、１３の内面１２ｂ、１３ｂに形成された凹凸形状の凹凸寸法は、ワイヤハーネス１５の外装チューブ１７の肉厚寸法より小さく設定され、外装チューブ１７で覆われた接続線１６ａ、１６ｂに影響を与えず、押圧ホルダ１２、１３で挟みこまれたワイヤハーネス１５が滑り難いものにされている。
【００２１】
又、押圧ホルダ１２、１３の後端面には支持部材１４が設置され、下部押圧ホルダ１２と上部押圧ホルダ１３が連結されている。従って、下部押圧ホルダ１２と上部押圧ホルダ１３は、支持部材１４の弾性力によりワイヤハーネス１５を挟み込んで装着された状態となる。そして、押圧ホルダ１２、１３の前面側に形成されたテーパ面１２ａ、１３ａが、筐体リブ２の貫通孔２ａの孔縁部２ｂにガイド押圧されて内側に歪まされ、押圧ホルダ１２、１３の内面１２ｂ、１３ｂでワイヤハーネス１５が押圧され、ワイヤハーネス１５が筐体リブ２に押圧保持されることになる。
【００２２】
尚、押圧ホルダ１２、１３の内面１２ｂ、１３ｂは、樹脂材等で円錐体形状に成形されたものを中央部分から上下に分割形成した後、凹凸形状に形成しても良い。又、押圧ホルダ１２、１３の内面１２ｂ、１３ｂを凹凸形状に形成する替わりに内面１２ｂ、１３ｂに頒布材等を貼付し、ワイヤハーネス１５と押圧ホルダ１２、１３とが滑り難くするようにしても良い。
【００２３】
尚、本実施の形態のものでは、押圧ホルダを下部押圧ホルダ１２と上部押圧ホルダ１３の２分割にしたものを用いているが、これにこだわることなく、３分割又は４分割等に形成されたものでも良い。
【００２４】
尚、本実施の形態のものでは、押圧ホルダが樹脂材等で円錐体形状に成形されたものを用いているが、これにこだわることなく、角錐体形状に成形されたものを用いて、筐体リブの貫通孔を角形状に形成するようにしても良い。
【００２５】
支持部材１４は、断面がＵ字型形状に弾性力を有する樹脂材等で成形されており、押圧ホルダ１２、１３の後端面に取付け設置され、下部押圧ホルダ１２と上部押圧ホルダ１３を一体に連結している。そして、支持部材１４の中央部にはワイヤハーネス１５を挿入する孔１４ｃが形成されている。この支持部材１４に連結された押圧ホルダ１２、１３を押し広げた状態で、支持部材１４の孔１４ｃにワイヤハーネス１５を挿入し、ワイヤハーネス１５の所定位置で、押圧ホルダ１２、１３の押し広げた状態を支持部材１４の反力で戻し、押圧ホルダ１２、１３でワイヤハーネス１５を挟み込むようにしている。
【００２６】
尚、本実施の形態のものでは、支持部材１４を押圧ホルダ１２、１３に取付けているが、これにこだわることなく、支持部材１４と各押圧ホルダ１２、１３とを弾性を有するポリプロピレン材等の合成樹脂材で一体成形するようにしても良い。
【００２７】
次に、配線保持構造１０の組立方法について図３を参照して説明する。
【００２８】
図３は本発明の第１の実施の形態に係る配線保持構造の組立て手順を示す説明図で、（ａ）はワイヤハーネスへの配線保持部材の挿入状態図、（ｂ）は筐体リブへの配線保持部材の挿入状態図である。
【００２９】
クランプ１１に設けられた支持部材１４に連結された下部の押圧ホルダ１２と上部の押圧ホルダ１３を矢印Ｆ１１の方向に、支持部材１４を撓ませながら押し広げる。この押し広げられた状態の支持部材１４の孔１４ｃにワイヤハーネス１５を通し、ワイヤハーネス１５の所定位置までクランプ１１を挿入する。
【００３０】
このワイヤハーネス１５の所定位置で、押圧ホルダ１２、１３の押し広げられた状態を解除し、支持部材１４の反力で押圧ホルダ１２、１３の凹凸形状に形成された内面１２ｂ、１３ｂをワイヤハーネス１５に押圧し、ワイヤハーネス１５の所定位置にクランプ１１を装着する。
【００３１】
次に、クランプ１１が装着された状態のワイヤハーネス１５を筐体リブ２側から矢印Ｐ１１方向に引き出し、押圧ホルダ１２、１３のテーパ面１２ａ、１３ａの先端部を筐体リブ２の貫通孔２ａにガイド挿入し、テーパ面１２ａ、１３ａを筐体リブ２の貫通孔２ａの孔縁部２ｂに当接押圧する。
【００３２】
この押圧ホルダ１２、１３のテーパ面１２ａ、１３ａが筐体リブ２の孔縁部２ｂで押圧された押圧ホルダ１２、１３は内側に歪まされ、押圧ホルダ１２、１３の凹凸形状に形成された内面１２ｂ、１３ｂがワイヤハーネス１５を押圧し、ワイヤハーネス１５が筐体リブ２に押圧保持されることになる。
【００３３】
そして、本実施の形態に係るものでは、クランプ１１が装着された状態のワイヤハーネス１５を筐体リブ２側から矢印Ｐ１１方向に引き出し、押圧ホルダ１２、１３のテーパ面１２ａ、１３ａを筐体リブ２の貫通孔２ａにガイド挿入して、ワイヤハーネス１５を筐体リブ２に押圧保持できるため、ワイヤハーネス１５に装着するクランプ１１の位置を調整することにより、ワイヤハーネス１５の筐体内方向への遊びを持たせることができる。このワイヤハーネス１５の筐体内方向への遊びを持たせることにより、ワイヤハーネス１５に連結しているコネクタやハンダ部への熱歪み応力（筐体及びワイヤハーネス１５等の熱膨張係数の相違による歪み）が防止できる。又、押圧ホルダ１２、１３を円錐形状に、筐体リブ２の貫通孔２ａを円形状にすることにより、ワイヤハーネス１５が捩じれた状態で引き出される角度等に関係なく、押圧ホルダ１２、１３のテーパ面１２ａ、１３ａが筐体リブ２の貫通孔２ａにガイド挿入されるため、ワイヤハーネス１５をどんな角度から引き出しても容易に筐体に押圧保持することができる。しかも、ワイヤハーネス１５自体に細工することなく、ワイヤハーネス１５にクランプ１１を装着したものなので、ワイヤハーネス１５を再利用することができる。
【００３４】
以上のように、本第１の実施の形態に係る配線保持構造１０は、電気回路ユニット等のワイヤハーネス１５の筐体１外への接続にコネクタ等を用いることなく、ワイヤハーネス１５に外力（引張力、振動、捻り力等）が加わった場合においても、ワイヤハーネス１５に装着したクランプ１１を介してワイヤハーネス１５を筐体リブ２にクランプすることにより、筐体１内のワイヤハーネス１５に連結しているコネクタやハンダ部への外力、及び熱歪み応力等によるダメージが防止できる。そして、ワイヤハーネス１５の所定位置にクランプ１１を容易に装着でき、ワイヤハーネス１５の再利用が可能となり、しかも筐体リブ２に貫通孔２ａを設けるだけで、機器間の配線接続等が簡単にできるため、コストの削減が図れる。
【００３５】
次に、第２の実施の形態に係る配線保持構造２０について、図１及び図４を参照して説明する。
図４は本発明の第２の実施の形態に係る配線保持構造を示す詳細断面図である。
【００３６】
尚、第２の実施の形態に係る配線保持構造２０のユニットを筐体１に装着した外観は図１による。
【００３７】
本発明の第２の実施の形態に係る配線保持構造２０は、図４に示すように、第１の実施の形態に係るものに対し、ワイヤハーネス２５に装着した配線保持部材２１の前端部にパッキン２７を設け、パッキン２７を筐体リブ２８に設けた座グリ孔に嵌め込んで、当り面２８ｃに押圧し、筐体リブ２８に設けたワイヤハーネス２５の引き出し孔２８ａから水等が侵入しないように防水したものである。
【００３８】
そして、このパッキン２７を筐体リブ２８の座グリ孔の当り面２８ｃに押圧した時、配線保持部材２１に設けられた支持部材２４を筐体リブ２８の内部側壁に設置した押圧当板２６で押圧して支持部材２４を把持し、配線保持部材２１が装着されたワイヤハーネス２５を筐体リブ２８に押圧保持するようにしている。
この配線保持構造２０のユニットは、筐体１に設置された筐体リブ２８と、筐体リブ２６の内部側壁に設置された押圧当板２６と、配線保持部材２１（以降クランプ２１と称す）と、外装チューブを有するワイヤハーネス２５と、押圧部材（以降、押圧ホルダと称す）２２、２３の前面端２２ｃ、２３ｃの位置のワイヤハーネス２５に装着されたパッキン２７等により構成されている。そして、このクランプ２１は下部の押圧ホルダ２２と上部の押圧ホルダ２３が弾性を有する支持部材２４で連結されたものである。
【００３９】
筐体リブ２８は、筐体外にワイヤハーネス２５を引き出すための貫通孔２８ａとパッキン２７を当接押圧する当面２８ｃを有する座グリ孔とテーパ面２８ｂが設けられた箱型形状に樹脂材、又は金属材等で成形されており、クランプ２１を介してワイヤハーネス２５を押圧保持するものである。この筐体リブ２８の当面２８ｃを有する座グリ孔の外径Ｄ２２は、クランプ２１に設けられた支持部材２４を介してワイヤハーネス２５に装着されている押圧ホルダ２２、２３のテーパ面２２ａ、２３ａの先端部が当接押圧されるように、押圧ホルダ２２、２３の先端外径Ｄ２３より小さい寸法に設定されている。そして、筐体リブ２８のテーパ面２８ｂのクランプ２１に対向する側の外径Ｄ２４は、押圧ホルダ２２、２３の先端外径Ｄ２３より大きい寸法に設定されている。又、この筐体リブ２８のテーパ面２８ｂは、クランプ２１が装着されたワイヤハーネス２５を斜めにした状態で引き出しても支障なく、押圧ホルダ２２、２３のテーパ面２２ａ、２３ａの先端部が容易にガイド挿入されると共に、より滑り易く当接押圧されるように、テーパ形状に形成されたものである。
【００４０】
押圧当板２６は、筐体リブ２８の内部側壁に設置され、クランプ２１に設けられた支持部材２４を押圧し、ワイヤハーネス２５に装着されたクランプ２１を所定位置に押圧保持するもので、樹脂材等で形成されている。この押圧当板２６は、
支持部材２４への当り面の内周面２６ａが曲面を有する形状に形成され、支持部材２４が挿入されて当接押圧され易くされている。
【００４１】
クランプ２１は、下部の押圧ホルダ２２と上部の押圧ホルダ２３を弾性を有する支持部材２４で連結したもので、ワイヤハーネス２５を各押圧ホルダ２２、２３で挟み込んで、ワイヤハーネス２５に装着し、ワイヤハーネス２５を筐体リブ２８に押圧保持するものである。ワイヤハーネス２５が筐体１の側面１ａに設置された筐体リブ２８に設けられた貫通孔２８ａから筐体外に引き出される時に、押圧ホルダ２２、２３の前面端２２ｃ、２３ｃの位置のワイヤハーネス２５に装着されているパッキン２７が筐体リブ２８の座グリ孔に挿入され、座グリ孔の当面２８ｃに当接押圧される。そして、ワイヤハーネス２５に装着されているクランプ２１に設けられた押圧ホルダ２２、２３のテーパ面２２ａ、２３ａの先端部が筐体リブ２８のテーパ面２８ｂに当接押圧されて、クリップ２１に装着されているワイヤハーネス２５が筐体リブ２８に押圧保持される。この時、クリップ２１に設けられた支持部材２４が筐体リブ２８の内部側壁に設置された押圧当板２６に押圧されて撓まされた状態で把持され、支持部材２４に連結された押圧ホルダ２２、２３に挟み込まれているワイヤハーネス２５が筐体リブ２８に装着把持されることになる。
【００４２】
下部押圧ホルダ２２は、上部押圧ホルダ２３と組み合わされて、円錐体形状に樹脂材等で成形され、中央部分から上下に分割形成されたものである。又、この下部押圧ホルダ２２は、上部押圧ホルダ２３と組み合わされて、ワイヤハーネス２５を挟み込んで押圧する内面２２ｂ、２３ｂが凹凸形状に形成され、外面の支持部材２４が連結される側が平面に形成され、外面の筐体リブ２８のテーパ面２８ｂに対向する側には、テーパ面２８ｂに当接押圧されるためのテーパ面２２ａ、２３ａが設けられている。そして、このテーパ面２２ａ、２３ａは、前面端２２ｃ、２３ｃがパッキン２７を押圧するために平面形状に形成され、外径Ｄ２３が筐体リブ２８の座グリ孔の外径Ｄ２２（テーパ面２８ｂの小さい外径に相当したもの）より大きく、筐体リブ２８のテーパ面２８ｂの外径Ｄ２４より小さく設定され、筐体リブ２８のテーパ面２８ｂに当接押圧されるように形成されている。
【００４３】
この押圧ホルダ２２、２３の内面２２ｂ、２３ｂに形成された凹凸形状の凹凸寸法は、ワイヤハーネス２５の外装チューブの肉厚寸法より小さく設定され、外装チューブで覆われた接続線に影響を与えず、押圧ホルダ２２、２３で挟みこまれたワイヤハーネス２５が滑り難いものにされている。
【００４４】
又、押圧ホルダ２２、２３の後端側には支持部材２４が取付けられ、下部押圧ホルダ２２と上部押圧ホルダ２３が連結されている。この押圧ホルダ２２、２３は、支持部材２４の弾性力により、ワイヤハーネス２５を挟み込んだ状態でワイヤハーネス２５に装着されている。
【００４５】
そして、ワイヤハーネス２５が筐体リブ２８の貫通孔２８ａから筐体外に引き出される時に、押圧ホルダ２２、２３の前面側に形成されたテーパ面２２ａ、２３ａが、筐体リブ２８のテーパ面２８ｂにガイド押圧されて内側に歪まされ、押圧ホルダ２２、２３の内面２２ｂ、２３ｂでワイヤハーネス２５が押圧され、ワイヤハーネス２５が筐体リブ２に押圧保持されることになる。この時、押圧ホルダ２２、２３のテーパ面２２ａ、２３ａの前面部２２ｃ、２３ｃの位置のワイヤハーネス２５に装着されているパッキン２７は、前面部２２ｃ、２３ｃに押圧されて、筐体リブ２８の座グリ孔に嵌め込まれ、座グリ孔の当面２８ｃに当接押圧されて歪まされる。このパッキン２７が押圧されることにより、筐体リブ２８の引き出し孔２８ａが塞がれるため、引き出し孔２８ａからの水等の侵入が防止できる。
【００４６】
尚、押圧ホルダ２２、２３の内面２２ｂ、２３ｂは、樹脂材等で円錐体形状に成形されたものを中央部分から上下に分割した後、凹凸形状に形成しても良い。又、押圧ホルダ２２、２３の内面２２ｂ、２３ｂを凹凸形状に形成する替わりに内面２２ｂ、２３ｂに頒布材等を貼付し、ワイヤハーネス２５と押圧ホルダ２２、２３とが滑り難くするようにしても良い。
【００４７】
尚、本実施の形態のものでは、押圧ホルダを下部押圧ホルダ２２と上部押圧ホルダ２３の２分割にしたものが用いられているが、これにこだわることなく、３分割又は４分割等に形成されたものでも良い。
【００４８】
尚、本実施の形態のものでは、押圧ホルダが樹脂材等で円錐体形状に成形されたものを用いているが、これにこだわることなく、角錐体形状に成形されたものを用いて、筐体リブの貫通孔を角形状に形成するようにしても良い。
【００４９】
支持部材２４は、断面がＣ字型形状に弾性力を有する樹脂材等で成形されており、押圧ホルダ２２、２３の後端側に取付けられ、下部押圧ホルダ２２と上部押圧ホルダ２３を一体に連結している。そして、Ｃ字型形状の外径Ｄ２６は、押圧ホルダ２２、２３の外径Ｄ２６より大きく形成され、筐体リブ２８の内部側壁に設置された押圧当板２６により当接押圧されるようになっている。
【００５０】
又、支持部材２４の中央部にはワイヤハーネス２５を挿入する孔２４ａが形成されている。この支持部材２４に連結された押圧ホルダ２２、２３を押し広げた状態で、支持部材２４の孔２４ａにワイヤハーネス２５を挿入し、ワイヤハーネス２５の所定位置で、押圧ホルダ２２、２３の押し広げた状態を支持部材２４の反力で戻し、押圧ホルダ２２、２３でワイヤハーネス２５を挟み込むようにしてワイヤハーネス２５にクランプ２１を装着している。
【００５１】
尚、本実施の形態のものでは、支持部材２４を押圧ホルダ２２、２３に取付けているが、これにこだわることなく、支持部材２４と各押圧ホルダ２２、２３とを弾性を有するポリプロピレン材等の合成樹脂材で一体成形するようにしても良い。
【００５２】
パッキン２７は、円筒のリング形状にゴム材等で形成されており、押圧ホルダ２２、２３の前面部２２ｃ、２３ｃの位置のワイヤハーネス２５に装着されている。このパッキン２７は、ワイヤハーネス２５が筐体リブ２８の貫通孔２８ａから筐体外に引き出される時に、筐体リブ２８の座グリ孔に挿入され、座グリ孔の当面２８ｃに当接押圧されて歪まされ、筐体リブ２８の引き出し孔２８ａからの水等の侵入を防止するようにしたものである。
【００５３】
尚、本実施の形態のものでは、支持部材２４を押圧ホルダ２２、２３に取付け、押圧ホルダ２２、２３の前面部２２ｃ、２３ｃの位置にパッキン２７を配設しているが、これにこだわることなく、支持部材２４と各押圧ホルダ２２、２３とを防水性を有するゴム系の材料で一体成形し、押圧ホルダ２２、２３のテーパ面２２ａ、２３ａで筐体リブ２８のテーパ面２８ｂを押圧することにより、水等の侵入を防止するようにしても良い。
【００５４】
配線保持構造２０の組立方法は、第１の実施の形態に係るものに対し、押圧ホルダ２２、２３の前面部２２ｃ、２３ｃの位置に配設したパッキン２７により、筐体リブ２８の引き出し孔２８ａからの水等の侵入を防止し、ワイヤハーネス２５に装着されたクリップ２１の支持部材２４を筐体リブ２８の内部側壁に設置された押圧当板２６で当接押圧して把持し、ワイヤハーネス２５を筐体リブ２８の所定位置に押圧保持するようにした点が相違したもので、その他は同一なので、説明を省略する。
【００５５】
尚、本第２の実施の形態に係るものでは、第１の実施の形態に係るものに対し、
押圧ホルダ２２、２３を円錐形状にすると共に、筐体リブ２８の貫通孔部にテーパ面２８ｂを形成しているため、クランプ２１が装着されたワイヤハーネス２５を斜めにして引き出しても、押圧ホルダ２２、２３のテーパ面２２ａ、２３ａが、筐体リブ２８の貫通孔部に形成されたテーパ面２８ｂに支障なくガイド挿入されるため、ワイヤハーネス２５をより容易に筐体に押圧保持することができる。
【００５６】
以上のように、本第２の実施の形態に係る配線保持構造２０は、電気回路ユニット等のワイヤハーネス２５の筐体１外への接続にコネクタ等を用いることなく、ワイヤハーネス２５に外力（引張力、振動、捻り力等）が加わった場合においても、ワイヤハーネス２５に装着したクランプ２１を介してワイヤハーネス２５を筐体リブ２８にクランプすることにより、筐体１内のワイヤハーネス２５に連結しているコネクタやハンダ部への外力、及び熱歪み応力等によるダメージを防止することができる。
【００５７】
さらに、パッキン２７を用いることにより、ワイヤハーネス２５を引き出す筐体リブ２８の引き出し孔２８ａからの水等の侵入が防止でき、しかも押圧当板２６による支持部材２４への当接押圧で、支持部材２４が筐体リブ２８に把持されるため、パッキン２７を筐体リブ２８の当面２８ｃに当接押圧して防水した状態で、ワイヤハーネス２５を筐体リブ２８の所定位置に押圧把持することができる。
【００５８】
次に、第３の実施の形態に係る配線保持構造３０について、図１及び図５、６を参照して説明する。
【００５９】
図５は本発明の第３の実施の形態に係る配線保持構造を示す詳細断面図で、（ａ）は正面図、（ｂ）は断面図で、図６は本発明の第３の実施の形態に係る配線保持構造に用いられた配線保持部材のワイヤハーネスへの嵌め込み状態図である。
【００６０】
尚、第３の実施の形態に係る配線保持構造３０のユニットを筐体１に装着した外観は図１による。
【００６１】
本発明の第３の実施の形態に係る配線保持構造３０は、図５に示すように、第１の実施の形態に係るものに対し、ワイヤハーネス３５に装着した配線保持部材３１に設けられた上下に分割された押圧部材（以降、押圧ホルダと称す）３２、３３が円柱体形状に形成され、押圧ホルダ３２、３３の軸線と直交する側部片端側に支持部材３４が連結されており、配線保持部材３１をワイヤハーネス３５の側面側から挿入装着するようにしたものである。そして、筐体リブ３６には押圧ホルダ３２、３３を当接押圧するためのテーパ面３６ｂとワイヤハーネス３５を引き出す貫通孔３６ａが形成されている。
【００６２】
この配線保持構造３０のユニットは、筐体１に設置された筐体リブ３６と、配線保持部材３１（以降クランプ３１と称す）と、外装チューブを有するワイヤハーネス３５等により構成されている。そして、このクランプ３１は下部の押圧ホルダ３２と上部の押圧ホルダ３３が弾性を有する支持部材３４により側面側（押圧ホルダ３２、３３の軸線と直交する）から連結されたものである。
【００６３】
筐体リブ３６は、筐体外にワイヤハーネス３５を引き出すための貫通孔３６ａとテーパ面３６ｂが設けられた箱型形状に樹脂材、又は金属材等で成形されており、クランプ３１を介してワイヤハーネス３５を押圧保持するものである。この筐体リブ３６のテーパ面３６ｂは、クランプ３１に設けられた支持部材３４を介してワイヤハーネス３５に装着されている押圧ホルダ３２、３３の先端部の外周縁３２ｃ、３３ｃが当接押圧されるように、所定寸法に設定されている。そして、この筐体リブ３６のテーパ面３６ｂは、押圧ホルダ３２、３３の先端部の外周縁３２ｃ、３３ｃが容易にガイド挿入されると共に、より滑り易く当接押圧されるように、テーパ形状に形成されたものである。
【００６４】
クランプ３１は、下部の押圧ホルダ３２と上部の押圧ホルダ３３を弾性を有する支持部材３４で押圧ホルダ３２、３３の軸線と直交する側部片端側から連結したものである。このクランプ３１は、ワイヤハーネス３５の側面側から挿入され、支持部材３４のバネ力によりワイヤハーネス３５を各押圧ホルダ３２、３３で挟み込んだ状態で装着されている。そして、ワイヤハーネス３５が筐体１の側面１ａに設置された筐体リブ３６の貫通孔３６ａから筐体外に引き出される時に、ワイヤハーネス３５に装着されているクランプ３１に設けられた押圧ホルダ３２、３３の先端部の外周縁３２ｃ、３３ｃが筐体リブ３６のテーパ面３６ｂに当接押圧されて、ワイヤハーネス３５が筐体リブ３６に押圧保持される。
【００６５】
下部押圧ホルダ３２は、上部押圧ホルダ３３と組み合わされて、円柱体形状に樹脂材等で成形され、中央部分から上下に分割形成されたものである。又、この下部押圧ホルダ３２は、上部押圧ホルダ３３と組み合わされて、ワイヤハーネス３５を挟み込んで押圧する内面３２ａ、３３ａが凹凸形状に形成され、後部の片端上下面には支持部材３４を設置する平面３２ｂ、３３ｂが形成されされている。又、この各押圧ホルダ３２、３３の先端部の外周縁３２ｃ、３３ｃは、筐体リブ３６のテーパ面３６ｂにガイド挿入されて当接押圧されるようになっている。そして、この後部の上下の平面３２ｂ、３３ｂには、支持部材３４が押圧ホルダ３２、３３の軸線と直交する側部片端側から設置され、各押圧ホルダ３２、３３が支持部材３４で連結されている。
【００６６】
尚、各押圧ホルダ３２、３３の先端部の外周縁３２ｃ、３３ｃは筐体リブ３６のテーパ面３６ｂに滑り易く当接押圧されるように、面取り形状に形成しても良い。
【００６７】
この押圧ホルダ３２、３３の内面３２ａ、３３ａに形成された凹凸形状の凹凸寸法は、ワイヤハーネス３５の外装チューブの肉厚寸法より小さく設定され、外装チューブで覆われた接続線に影響を与えず、押圧ホルダ３２、３３で挟みこまれたワイヤハーネス３５が滑り難いものにしている。
【００６８】
又、押圧ホルダ３２、３３の後部の側部片端側から支持部材３４が、上下の平面３２ｂ、３３ｂに設置され、下部押圧ホルダ３２と上部押圧ホルダ３３が連結されている。この支持部材３４に連結された下部押圧ホルダ３２と上部押圧ホルダ３３は、押し広げられて、ワイヤハーネス３５に側面側から挿入装着される。そして、ワイヤハーネス３５が筐体リブ３６の貫通孔３６ａから筐体リブ３６の外に引き出される時に、押圧ホルダ３２、３３の先端部の外周縁３２ｃ、３３ｃが筐体リブ３６のテーパ面３６ｂに当接押圧され、ワイヤハーネス３５が筐体リブ３６に押圧保持されることになる。
【００６９】
尚、押圧ホルダ３２、３３の内面３２ｂ、３３ｂは、樹脂材等で円柱体形状に成形されたものを中央部分から上下に分割した後、凹凸形状に形成しても良い。又、押圧ホルダ３２、３３の内面３２ｂ、３３ｂを凹凸形状に形成する替わりに内面３２ｂ、３３ｂに頒布材等を貼付し、ワイヤハーネス３５と押圧ホルダ３２、３３とが滑り難くするようにしても良い。
【００７０】
尚、本実施の形態のものでは、押圧ホルダが樹脂材等で円柱体形状に成形されたものを用いているが、これにこだわることなく、角柱体形状に成形されたものを用いて、筐体リブの貫通孔をテーパ面を有する角形状に形成するようにしても良い。
【００７１】
支持部材３４は、断面がＵ字型形状に弾性力を有する樹脂材等で成形されており、押圧ホルダ３２、３３の後部の上下面に側面側から取付け、下部押圧ホルダ３２と上部押圧ホルダ３３を一体に連結したものである。
【００７２】
又、この支持部材３４に連結された押圧ホルダ３２、３３は、図６に示す方向Ｆ３１に押し広げられた状態で、ワイヤハーネス３５の側面側から挿入され、ワイヤハーネス３５の所定位置で押圧ホルダ３２、３３の押し広げられた状態が支持部材３４の反力で戻され、ワイヤハーネス３５に装着されている。
【００７３】
尚、本実施の形態のものでは、支持部材３４を押圧ホルダ３２、３３に取付けているが、これにこだわることなく、支持部材３４と各押圧ホルダ３２、３３とを弾性を有するポリプロピレン材等の合成樹脂材で一体成形するようにしても良い。
【００７４】
配線保持構造３０の組立方法は、第１の実施の形態に係るものに対し、支持部材３４が下部押圧ホルダ３２と上部押圧ホルダ３３の後部の軸線と直交する側部片端側から連結されたもので、下部押圧ホルダ３２と上部押圧ホルダ３３を支持部材３４を介して押し広げ、ワイヤハーネス３５の側面から挿入装着するようにした点が相違したもので、その他は同一なので説明を省略する。
【００７５】
尚、本第３の実施の形態に係るものでは、第１の実施の形態に係るものに対し、
押圧ホルダ３２、３３を円柱形状にし、筐体リブ３６の貫通孔部にテーパ面３６ｂを形成しているため、クランプ３１が装着されたワイヤハーネス３５を斜めにして引き出しても、押圧ホルダ３２、３３の先端部の外周縁３２ｃ、３３ｃが、筐体リブ３６の貫通孔部に形成されたテーパ面３６ｂに支障なくガイド挿入されるため、ワイヤハーネス３５をより容易に筐体に押圧保持することができる。
【００７６】
以上のように、本第３実施の形態に係る配線保持構造３０は、電気回路ユニット等のワイヤハーネス３５を筐体１外に引き出し接続するのに、コネクタ等を用いることなく、ワイヤハーネス３５に外力（引張力、振動、捻り力等）が加わった場合においても、ワイヤハーネス３５に装着したクランプ３１を介してワイヤハーネス３５を筐体リブ３６にクランプすることにより、筐体１内のワイヤハーネス３５に連結しているコネクタやハンダ部への外力、及び熱歪み応力等によるダメージを防止することができる。
【００７７】
さらに、クランプ３１に設けられた支持部材３４の孔にワイヤハーネス３５を通すことなく、直接、クランプ３１をワイヤハーネス３５の側面側から挿入装着できるため、クランプ３１の装着がより容易となり、しかも長いハーネスを用いる盤間配線等へ適用した場合にはより効果的となる。
【００７８】
次に、本発明のその他の実施の形態に係る配線保持部材について、図７を参照して説明する。
【００７９】
図７は本発明のその他の実施の形態に係る配線保持部材を示す斜視図で、（ａ）はテーパを有する角柱体形状の配線保持部材を示す斜視図、（ｂ）は分割された円錐体形状の配線保持部材を示す斜視図である。
【００８０】
配線保持部材５０は、下部の押圧部材（以降、押圧ホルダと称す）５１と、上部の押圧部材（以降、押圧ホルダと称す）５２が組み合わされて、テーパ面５１ａ、５２ａを有する角柱体形状に成形され、支持部材５３で連結されており、各押圧ホルダ５１、５２のテーパ面５１ａ、５２ａを筐体リブの角形状の貫通孔の角周縁部に挿入押圧し、ハーネス５４を筐体リブに押圧保持するものである。
【００８１】
この配線保持部材５０は、下部の押圧ホルダ５１と、上部の押圧ホルダ５２と、各押圧ホルダ５１、５２を後部端で連結する支持部材５３等で構成されている。この配線保持部材５０を用いる場合には、各押圧ホルダ５１、５２を挿入押圧する筐体リブの貫通孔は各押圧ホルダ５１、５２のテーパ面５１ａ、５２ａに対応させた角形状に形成されたものが用いられている。
【００８２】
下部の押圧ホルダ５１は、上部押圧ホルダ５２と組み合わされて、テーパ面５１ａ、５２ａを有する角柱体形状に樹脂材等で成形され、中央部分から上下に分割形成されたものである。又、この下部押圧ホルダ３２は、上部押圧ホルダ３３と組み合わされて、ワイヤハーネス５４を挟み込んで押圧する内面５１ｂ、５２ｂが凹凸形状に形成され、後部端面には支持部材５３を設置する平面が形成されている。
【００８３】
支持部材５３は、断面がＵ字型形状に弾性力を有する樹脂材等で成形されており、押圧ホルダ５１、５２の後部端面に取付け、下部押圧ホルダ５１と上部押圧ホルダ５２を一体に連結している。そして、支持部材５３の中央部にはワイヤハーネス５４を挿入する孔５３ａが形成されている。
【００８４】
配線保持部材６０は、各押圧ホルダ６１、６２，６３，６４が組み合わされて、テーパ面を有する円錐体形状に成形され、それぞれが４分割され、各押圧ホルダ６１、６２、６３、６４の後部端が支持部材６５で連結されており、ハーネス５４を筐体リブに押圧保持するものである。
【００８５】
上述の配線保持部材５０と配線保持部材６０は、いずれも第１の実施の形態に係るものと形状構造は異なるが、機能性能及び効果は略同一なので、説明を省略する。
【００８６】
【発明の効果】
以上説明したように、本発明によれば、筐体等から引き出されたワイヤハーネスへの外力（引張力、振動、捻り力等）等による筐体内のワイヤハーネスに連結しているコネクタやハンダ部へのダメージが防止でき、しかもワイヤハーネスを筐体等の所定位置に容易に装着できるため、機器間の配線接続等が簡単にでき、コストの削減が図れる。
【図面の簡単な説明】
【図１】本発明の実施の形態に係る配線保持部材及び配線保持構造を示す全体構成外観図である。
【図２】本発明の第１の実施の形態に係る配線保持構造を示す詳細断面図である。
【図３】本発明の第１の実施の形態に係る配線保持構造の組立て手順を示す説明図である。
【図４】本発明の第２の実施の形態に係る配線保持構造を示す詳細断面図である。
【図５】本発明の第３の実施の形態に係る配線保持構造を示す詳細断面図である。
【図６】本発明の第３の実施の形態に係る配線保持構造に設けられた配線保持部材のワイヤハーネスへの嵌め込み状態図である。
【図７】本発明のその他の実施の形態に係る配線保持部材を示す斜視図である。
【符号の説明】
１・・・筐体
２・・・筐体リブ
３・・・電気回路ユニット
１０、２０、３０・・・配線保持構造
１１、２１、３１、５０、６０・・・配線保持部材
１２、２２、３２・・・下部押圧ホルダ
１３、２３、３３・・・上部押圧ホルダ
１４、２４、３４・・・支持部材
１５、２５、３５・・・ワイヤハーネス
１６・・・接続線
１７・・・外装チューブ
２６・・・押圧当板
２７・・・パッキン
【図１】
2004032858.tif 000003
【図２】
2004032858.tif 000004
【図３】
2004032858.tif 000005
【図４】
2004032858.tif 000006
【図５】
2004032858.tif 000007
【図６】
2004032858.tif 000008
【図７】
2004032858.tif 000009